(57)【要約】  【課題】  ＣＯＢ固定ベース３に対するＬＥＤパッケージ４の固定部分を薄形化し、リフレクター８をＬＥＤパッケージ４に格段に接近させることができ、しかもリフレクター８をリフレクター固定筒７に組み込むために必要な部品点数を大幅に削減し、リフレクター８をリフレクター固定筒７に組み込む作業効率を一段と高めることができる新たなＬＥＤ光源モジュール１技術を提供する。  【解決手段】  ＣＯＢ固定ベース３上のＬＥＤパッケージ４にＣＯＢシートカバー５を装着・固定したＬＥＤ素子固定装置２を有し、リフレクター固定筒７筒口７０近傍にバネ受け溝７３、段差溝部７４を連続して設け、リフレクター固定筒７内にリフレクター８を収容し、鍔部８３を段差溝部７４し、焦点開口８１をＬＥＤパッケージ４非接触位置に規制し、バネリング９をバネ受け溝７３に嵌合したリフレクター装置６を有する、この発明のＬＥＤ光源モジュール１である。【選択図】    図１
2015225789.tif 000002
【特許請求の範囲】
【請求項１】
熱伝導性素材からなり、中央適所にＬＥＤパッケージ搭載用の位置決め嵌合部を有する搭載座壁を設けたＣＯＢ固定ベースの、該搭載座壁に、ＬＥＤパッケージを位置決め搭載し、該ＬＥＤパッケージの基板周縁を上回る外郭寸法の絶縁フィルム製であって、該基板表面中央に配したＬＥＤ素子に対応する中央に露出口を開口し、該ＬＥＤ素子露出口の周囲に均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着し、基板周縁付近の少なくとも正・負電極に接続したリード線芯線を絶縁状に包囲可能なものとしてなることを特徴とするＬＥＤ素子固定装置。
【請求項２】
熱伝導性素材からなり、中央適所にＬＥＤパッケージ搭載用の位置決め嵌合部を有する搭載座壁を設けたＣＯＢ固定ベースの、該搭載座壁に、ＬＥＤパッケージを位置決め搭載し、該ＬＥＤパッケージの基板周縁を上回る外郭寸法の絶縁フィルム製であって、該基板表面中央に配したＬＥＤ素子に対応する中央に露出口を開口し、同基板周縁付近の少なくとも正・負電極外がわに対応する２ヵ所に設けた角部を、夫々下向きに折り曲げた包囲角を設け、同基板周縁付近の各包囲角間であって該ＬＥＤ素子露出口の周囲に均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着し、各包囲角が基板周縁付近の少なくとも正・負電極に接続したリード線芯線を絶縁状に包囲可能なものとしてなることを特徴とするＬＥＤ素子固定装置。
【請求項３】
ＬＥＤパッケージの基板周縁を上回る外郭寸法の透明絶縁フィルム製であって、該基板表面中央に配したＬＥＤ素子に対応する中央に露出口を開口し、同基板周縁付近の少なくとも正・負電極外がわに対応する２ヵ所に設けた角部を、夫々下向きに折り曲げた包囲角を設け、同基板周縁付近の各包囲角間であって該ＬＥＤ素子露出口の周囲に均衡する少なくとも２ヵ所に、固着機構を組み込み可能な形状とした固着部を設け、当該ＬＥＤパッケージ上より被着した上、該ＬＥＤ素子を露出口に露出させた状態に覆った基板諸共、各固着機構にて対象物に固着し、各包囲角が基板周縁付近の少なくとも正・負電極に接続したリード線芯線を絶縁状に包囲可能なものとしてなることを特徴とする、請求項１または２何れか一方記載のＬＥＤ素子固定装置に利用するＣＯＢシートカバー。
【請求項４】
露出口の均衡する２ヵ所以上、複数箇所に、ＬＥＤ素子４１外周に当接・位置決め可能とする位置決め片部を内向き突出状に設けてなる、請求項３記載のＣＯＢシートカバー。
【請求項５】
ＬＥＤパッケージを中央適所に搭載したＣＯＢ固定ベースの外周がわ適所にリフレクター固定筒の基部を一体化し、同リフレクター固定筒の筒口近傍内周壁にバネ受け溝を凹設し、該バネ受け溝の基部がわにリフレクター受け段差溝部を連続して設け、該リフレクター固定筒内に、焦点開口から照射口に至る反射内壁を有し、同照射口外周縁に鍔部を一体化したリフレクターを収容し、該リフレクター鍔部を、当該リフレクター固定筒段差溝部に係合すると共に、該焦点開口を、当該ＬＥＤパッケージに非接触位置に規制した上、該リフレクター固定筒バネ受け溝にバネリングを装着し、該リフレクターを当該リフレクター固定筒内所望位置に固定可能に組み込んでなるものとしたことを特徴とするリフレクター装置。
【請求項６】
ＬＥＤパッケージを中央適所に搭載したＣＯＢ固定ベースの外周がわ適所に対し、該ＬＥＤパッケージを充分に上回る内径の円筒内壁形としたリフレクター固定筒の基部を一体化し、同リフレクター固定筒の円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、当該ＣＯＢ固定ベースに搭載したＬＥＤパッケージＬＥＤ素子近傍から該段差溝部に至る該リフレクター固定筒内に、ＬＥＤ素子より僅かに大きな焦点開口から照射口に至る反射内壁を有し、同照射口外周縁に、当該筒口およびバネ受け溝を通過可能、且つ当該段差溝部に係合可能な外径寸法・形状の鍔部を一体化したリフレクターを収容し、該リフレクター鍔部を、当該リフレクター固定筒段差溝部に係合すると共に、該焦点開口を、当該ＬＥＤパッケージおよびそのＬＥＤ素子に非接触位置に規制した上、同リフレクター固定筒の筒口内径まで縮径可能であって、バネ受け溝嵌合状態の内口径が、リフレクター鍔部外径よりも小口径、且つリフレクター照射口よりも大口径としたバネリングを、当該リフレクター固定筒筒口からバネ受け溝に弾性的拡径状に嵌合し、該リフレクターを、該ＬＥＤパッケージおよびそのＬＥＤ素子との非接触状態を維持可能とするよう、当該リフレクター固定筒内所望位置に固定可能に組み込んでなるものとしたことを特徴とするリフレクター装置。
【請求項７】
熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、ＬＥＤパッケージを中央適所に搭載したＣＯＢ固定ベースの外周がわ適所にリフレクター固定筒の基部を一体化し、同リフレクター固定筒の筒口近傍内周壁にバネ受け溝を凹設し、該バネ受け溝の基部がわにリフレクター受け段差溝部を連続して設け、該リフレクター固定筒内に、焦点開口から照射口に至る反射内壁を有し、同照射口外周縁に鍔部を一体化したリフレクターを収容し、該リフレクター鍔部を、当該リフレクター固定筒段差溝部に係合すると共に、該焦点開口を、当該ＬＥＤパッケージに非接触位置に規制した上、該リフレクター固定筒バネ受け溝にバネリングを装着したリフレクター装置を設け、該リフレクターを、該ＬＥＤパッケージおよびそのＬＥＤ素子に対して非接触状態、および、ＣＯＢシートカバーを介在して電気的絶縁状態を維持可能とするようＬＥＤパッケージおよびリフレクターを組み込んでなるものとしたことを特徴とするＬＥＤ光源モジュール。
【請求項８】
熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、当該ＣＯＢ固定ベースの外周がわ適所に、該ＬＥＤパッケージを充分に上回る内径の円筒内壁形としたリフレクター固定筒の基部を一体化し、同リフレクター固定筒の円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、当該ＣＯＢ固定ベースに搭載したＬＥＤパッケージＬＥＤ素子近傍から該段差溝部に至る該リフレクター固定筒内に、ＬＥＤ素子より僅かに大きな焦点開口から照射口に至る反射内壁を有し、同照射口外周縁に、当該筒口およびバネ受け溝を通過可能、且つ当該段差溝部に係合可能な外径寸法・形状の鍔部を一体化したリフレクターを収容し、該リフレクター鍔部を、当該リフレクター固定筒段差溝部に係合すると共に、該焦点開口を、当該ＬＥＤパッケージおよびそのＬＥＤ素子に非接触位置に規制した上、同リフレクター固定筒の筒口内径まで縮径可能であって、バネ受け溝嵌合状態の内口径が、リフレクター鍔部外径よりも小口径、且つリフレクター照射口よりも大口径としたバネリングを、当該リフレクター固定筒筒口からバネ受け溝に弾性的拡径状に嵌合したリフレクター装置を設け、該リフレクターを、該ＬＥＤパッケージおよびそのＬＥＤ素子に対して非接触状態、および、ＣＯＢシートカバーを介在して電気的絶縁状態を維持可能とするようＬＥＤパッケージおよびリフレクターを組み込んでなるものとしたことを特徴とするＬＥＤ光源モジュール。
【請求項９】
熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、ＬＥＤパッケージを中央適所に搭載したＣＯＢ固定ベースの外周がわ適所にリフレクター固定筒の基部を一体化し、同リフレクター固定筒の筒口近傍内周壁にバネ受け溝を凹設し、該バネ受け溝の基部がわにリフレクター受け段差溝部を連続して設け、該リフレクター固定筒内に、焦点開口から照射口に至る反射内壁を有し、同照射口外周縁に鍔部を一体化したリフレクターを収容し、該リフレクター鍔部を、当該リフレクター固定筒段差溝部に係合すると共に、該焦点開口を、当該ＬＥＤパッケージに非接触位置に規制した上、該リフレクター固定筒バネ受け溝にバネリングを装着したリフレクター装置を設け、該リフレクターを、該ＬＥＤパッケージおよびそのＬＥＤ素子に対して非接触状態、および、ＣＯＢシートカバーを介在して電気的絶縁状態を維持可能とするよう、ＬＥＤパッケージおよびリフレクターを組み込んでなるものとした請求項１または２何れか一方記載のＬＥＤ素子固定装置、請求項３記載または４何れか一方記載のＣＯＢシートカバー、または、請求項５または６何れか一記載のリフレクター装置の何れか一つを利用したＬＥＤ光源モジュール。
【請求項１０】
熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、当該ＣＯＢ固定ベースの外周がわ適所に、該ＬＥＤパッケージを充分に上回る内径の円筒内壁形としたリフレクター固定筒の基部を一体化し、同リフレクター固定筒の円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、当該ＣＯＢ固定ベースに搭載したＬＥＤパッケージＬＥＤ素子近傍から該段差溝部に至る該リフレクター固定筒内に、ＬＥＤ素子より僅かに大きな焦点開口から照射口に至る反射内壁を有し、同照射口外周縁に、当該筒口およびバネ受け溝を通過可能、且つ当該段差溝部に係合可能な外径寸法・形状の鍔部を一体化したリフレクターを収容し、該リフレクター鍔部を、当該リフレクター固定筒段差溝部に係合すると共に、該焦点開口を、当該ＬＥＤパッケージおよびそのＬＥＤ素子に非接触位置に規制した上、同リフレクター固定筒の筒口内径まで縮径可能であって、バネ受け溝嵌合状態の内口径が、リフレクター鍔部外径よりも小口径、且つリフレクター照射口よりも大口径としたバネリングを、当該リフレクター固定筒筒口からバネ受け溝に弾性的拡径状に嵌合したリフレクター装置を設け、該リフレクターを、該ＬＥＤパッケージおよびそのＬＥＤ素子に対して非接触状態、および、ＣＯＢシートカバーを介在して電気的絶縁状態を維持可能とするよう、ＬＥＤパッケージおよびリフレクターを組み込んでなるものとした請求項１または２何れか一方記載のＬＥＤ素子固定装置、請求項３記載または４何れか一方記載のＣＯＢシートカバー、または、請求項５または６何れか一記載のリフレクター装置の何れか一つを利用したＬＥＤ光源モジュール。
【発明の詳細な説明】
【技術分野】
【０００１】
この発明は、ＬＥＤ（Ｌｉｇｈｔ  Ｅｍｉｔｔｉｎｇ  Ｄｉｏｄｅ）を光源とする灯具技術に関連するものであり、特に、ＬＥＤ光源からの光取り出し効率を高め、小型・軽量化し、生産コストを削減可能としたＬＥＤ光源モジュールを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                    
【背景技術】
【０００２】
（着目点）
消費電力の大幅削減と光源の長寿命化、自然環境保護に有効など、数多くの特徴をもつＬＥＤ光源モジュールが、近年様々な照明機器に広く採用されるようになっており、その一例として、図８に示すように、ＣＯＢ（Ｃｈｉｐ  Ｏｎ  Ｂｏａｒｄ）タイプのＬＥＤパッケージ４をＣＯＢ固定ベース３に固定するのに、確りとした厚みのある枠状の合成樹脂製成形品からなり、ＬＥＤパッケージ４の各電極（アノード・カソード）に対応する適所に、電源用リード線接続用の挟着型接続機構や、コネクター類（何れも図示せず）などの電気的接続部分を有し、ＣＯＢ固定ベース３への正確な位置決めをすると共に、リフレクター８に短絡しないよう、絶縁保護可能とするＬＥＤホルダーＨを用い、該ＬＥＤホルダーＨに当該ＬＥＤパッケージ４を組み込み、ＣＯＢ固定ベース３の位置決め用形状部分に嵌合するよう位置決めし、電源用の各リード線に干渉せず、しかもＬＥＤパッケージ４の周囲に均衡するよう配した、例えば２ヵ所の取付け孔に夫々ネジＳ，Ｓを装着し、該ＣＯＢ固定ベース３に着脱可能に固着し、同ＣＯＢ固定ベース３から搭載ＬＥＤパッケージ４の周囲に立ち上げたリフレクター固定筒部７内にリフレクター８を装着するようにしたものなどがある。
【０００３】
こうした従来型ＬＥＤ光源モジュールＭに使用するＬＥＤパッケージ４は、近年、基板４０上に実装したＬＥＤ素子（チップ）４１に蛍光体を薄膜状に被覆し、発光効率に優れた平板型のものが広く用いられるようになっており、より高い照明効率を得るには、ＬＥＤパッケージ４のＬＥＤ素子４１発光面周縁に略接する如くリフレクター８を接近・配置するのが望ましいが、前述のように、絶縁および位置決めのため肉厚としたＬＥＤホルダーＨを用いていることから、同図８に示すように、リフレクター８基端８１とＬＥＤ素子４１との間に大きな隙間Ｄが生じ、該リフレクター８を適切な焦点距離に支持することができず、照明光量の一部を損失してしまうものとなっていた。
【０００４】
また、当該リフレクター８は、照射口８２外周縁に設けた鍔部８３を、リフレクター固定筒部７筒口７０先端内周縁に刻設した段差溝部７４に係合するよう組み合わせ、環状フランジ蓋Ｆを重ねて複数個のネジＳ，Ｓを螺合し、一体化するよう組み立てたものとするのが一般的であったが、こうしたリフレクター８の組込み構造は、部品点数および組立工数を増大し、ＬＥＤ光源モジュールＭの複雑化、大型化、重量の増大化などを招くという欠点を残すものであった。
【０００５】
（従来の技術）
こうした状況を反映し、その打開策となるような提案もこれまでに散見されない訳ではない。
例えば、下記の特許文献１（１）に提案されているものに代表されるように、ランプボディの前面に設けたシール溝にシール剤を装填し、前面レンズのシール脚を該シール溝に挿入し、シール溝形成壁と前面レンズとの間に介装した締結手段（シール溝形成壁に設けたランプボディ側の係止突起と、シール脚に設けた開口部をもつ前面レンズ側の舌片状弾性片）により、前面レンズとランプボディとを機械的に締結し、部品点数を削減し、組立作業性を向上した車両用灯具や、同特許文献１（２）に見られるもののような、上ケーシングと底蓋の間に配置した照明モジュールは、底蓋によって機械的に支持し、同照明モジュールに、同照明モジュールと底蓋との対向位置を規制する位置決め部材を設け、該底蓋は、上ケーシングに設けたスプリングによって開閉自在に組み合わせ、部品点数の削減および組立工数の削減を可能とした照明装置、および、同特許文献１（３）のように、金属製の基体の一端側に、金属製基板の一面にＬＥＤチップを実装した発光部を有する発光モジュールを、該発光モジュールの発光部露出用の開口部、および挿通孔を備えた絶縁カラー（ＬＥＤホルダー）を介し、同発光モジュールを位置決めするよう基板周辺域を嵌め込み、ねじ固定し、発光モジュールの正確な位置決めおよび固定を効率的に行えるようにした照明器具などが散見される。
【０００６】
しかし、上記の中の、前者特許文献１（１）に示されている類いの灯具類のように、シール溝にシール剤を装填し、係止突起に舌片状弾性片を弾性的に係合して前面レンズとランプボディとを機械的に締結するようにしたものは、少なくとも何れか一方が合成樹脂製などの弾性素材製の部品を採用する場合に有効なものであるが、例えば、前記図８に示すような、金属製のリフレクター固定筒部７に金属製のリフレクター８を組み込む部分への応用には不向きであるという欠点があり、特許文献１（２）の上ケーシングのスプリングに、底蓋を係合して閉鎖状態を維持するようにしたものでは、位置決め部材を別途設ける必要があり、部品点数の増加や構造の複雑化を招く虞があり、また、後者の特許文献１（３）に代表する照明器具などは、図８に示した、ＬＥＤホルダーＨと同様の絶縁カラーを設けたものであり、電球形ランプのように、リフレクター８を必要としない灯具類には有効であっても、リフレクター８を組み込むものの場合には、ＬＥＤホルダーＨや絶縁カラーが障害となって、リフレクター８をＬＥＤ素子４１に近接配置させるのが難しくなるといった欠点を伴うものであった。                                                                                          
【特許文献１】（１）特開平９−３０６２０７号公報    （２）実用新案登録第３１６２１０１号公報    （３）特開２０１３−７７５７７号公報
【発明の概要】
【発明が解決しようとする課題】
【０００７】
（問題意識）
上述したとおり、従前までに提案のある各種灯具類のように、弾性素材製係合爪などの着脱機構を採用したものにあっては、前記図８に示した、ＣＯＢ固定ベース３およびそのリフレクター固定筒部７を合成樹脂などの弾性素材製のものとするか、または、スプリングなどの弾性部品を、熔接やネジ結合（何れも図示せず）などによってＣＯＢ固定ベース３やそのリフレクター固定筒部７などに一体化・結合したものとする必要があり、耐久性や生産効率などを考慮すると実用化が難しく、また、肉厚なＬＥＤホルダーＨや絶縁カラーなどを組み込む照明器具類などは、リフレクター８をＬＥＤ素子４１に近接するよう組み込むことができないという欠点が残るものであり、リフレクター８をＬＥＤ素子４１に、より近接するよう配置可能とし、照明高率を高めることができ、リフレクター８の組み込み作業の効率をより高め、しかも確りと組み込むことができ、部品点数を削減可能とするための構成につき、更なる改善の可能性を痛感するに至ったものである。
【０００８】
（発明の目的）
そこで、この発明は、ＣＯＢ固定ベース３に対するＬＥＤパッケージ４の固定部分を薄形化し、リフレクター８をＬＥＤパッケージ４に格段に接近させることができ、しかもリフレクター８をリフレクター固定筒７に組み込むために必要とする部品点数を大幅に削減し、リフレクター８をリフレクター固定筒７に組み込む作業効率を一段と高めることが可能となる新たなＬＥＤ光源モジュール技術の開発はできないものかとの判断から、逸速くその開発、研究に着手し、長期に渡る試行錯誤と幾多の試作、実験とを繰り返してきた結果、今回、遂に新規な構造のＬＥＤ素子固定装置、それ用の新規な構造のＣＯＢシートカバー、新規な構造のリフレクター装置、および、新規な構造のＬＥＤ光源モジュールの一連の新技術を実現化することに成功したものであり、以下では、図面に示すこの発明を代表する実施例と共に、それらの構成について詳述することとする。                                                        
【課題を解決するための手段】
【０００９】
（発明の構成）
図面に示すこの発明を代表する実施例からも明確に理解されるように、この発明のＬＥＤ素子固定装置は、基本的に次のような構成から成り立っている。
即ち、熱伝導性素材からなり、中央適所にＬＥＤパッケージ搭載用の位置決め嵌合部を有する搭載座壁を設けたＣＯＢ固定ベースの、該搭載座壁に、ＬＥＤパッケージを位置決め搭載し、該ＬＥＤパッケージの基板周縁を上回る外郭寸法の絶縁フィルム製であって、該基板表面中央に配したＬＥＤ素子に対応する中央に露出口を開口し、該ＬＥＤ素子露出口の周囲に均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着し、基板周縁付近の少なくとも正・負電極に接続したリード線芯線を絶縁状に包囲可能なものとしてなるものとした構成を要旨とするＬＥＤ素子固定装置である。
【００１０】
より具体的には、熱伝導性素材からなり、中央適所にＬＥＤパッケージ搭載用の位置決め嵌合部を有する搭載座壁を設けたＣＯＢ固定ベースの、該搭載座壁に、ＬＥＤパッケージを位置決め搭載し、該ＬＥＤパッケージの基板周縁を上回る外郭寸法の絶縁フィルム製であって、該基板表面中央に配したＬＥＤ素子に対応する中央に露出口を開口し、同基板周縁付近の少なくとも正・負電極外がわに対応する２ヵ所に設けた角部を、夫々下向きに折り曲げた包囲角を設け、同基板周縁付近の各包囲角間であって該ＬＥＤ素子露出口の周囲に均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着し、各包囲角が基板周縁付近の少なくとも正・負電極に接続したリード線芯線を絶縁状に包囲可能なものとしてなるものとした構成からなるＬＥＤ素子固定装置ということができる。
【００１１】
（関連する発明１）
上記したＬＥＤ素子固定装置に関連し、この発明には、それに利用するＣＯＢシートカバーも包含している。
即ち、ＬＥＤパッケージの基板周縁を上回る外郭寸法の透明絶縁フィルム製であって、該基板表面中央に配したＬＥＤ素子に対応する中央に露出口を開口し、同基板周縁付近の少なくとも正・負電極外がわに対応する２ヵ所に設けた角部を、夫々下向きに折り曲げた包囲角を設け、同基板周縁付近の各包囲角間であって該ＬＥＤ素子露出口の周囲に均衡する少なくとも２ヵ所に、固着機構を組み込み可能な形状とした固着部を設け、当該ＬＥＤパッケージ上より被着した上、該ＬＥＤ素子を露出口に露出させた状態に覆った基板諸共、各固着機構にて対象物に固着し、各包囲角が基板周縁付近の少なくとも正・負電極に接続したリード線芯線を絶縁状に包囲可能なものとしてなる、この発明のＬＥＤ素子固定装置に利用するＣＯＢシートカバーである。
【００１２】
（関連する発明２）
この発明のリフレクター装置は、基本的に次のような構成から成り立っている。
即ち、ＬＥＤパッケージを中央適所に搭載したＣＯＢ固定ベースの外周がわ適所にリフレクター固定筒の基部を一体化し、同リフレクター固定筒の筒口近傍内周壁にバネ受け溝を凹設し、該バネ受け溝の基部がわにリフレクター受け段差溝部を連続して設け、該リフレクター固定筒内に、焦点開口から照射口に至る反射内壁を有し、同照射口外周縁に鍔部を一体化したリフレクターを収容し、該リフレクター鍔部を、当該リフレクター固定筒段差溝部に係合すると共に、該焦点開口を、当該ＬＥＤパッケージに非接触位置に規制した上、該リフレクター固定筒バネ受け溝にバネリングを装着し、該リフレクターを当該リフレクター固定筒内所望位置に固定可能に組み込んでなるものとした構成からなるリフレクター装置である。
【００１３】
より具体的には、ＬＥＤパッケージを中央適所に搭載したＣＯＢ固定ベースの外周がわ適所に対し、該ＬＥＤパッケージを充分に上回る内径の円筒内壁形としたリフレクター固定筒の基部を一体化し、同リフレクター固定筒の円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、当該ＣＯＢ固定ベースに搭載したＬＥＤパッケージＬＥＤ素子近傍から該段差溝部に至る該リフレクター固定筒内に、ＬＥＤ素子より僅かに大きな焦点開口から照射口に至る反射内壁を有し、同照射口外周縁に、当該筒口およびバネ受け溝を通過可能、且つ当該段差溝部に係合可能な外径寸法・形状の鍔部を一体化したリフレクターを収容し、該リフレクター鍔部を、当該リフレクター固定筒段差溝部に係合すると共に、該焦点開口を、当該ＬＥＤパッケージおよびそのＬＥＤ素子に非接触位置に規制した上、同リフレクター固定筒の筒口内径まで縮径可能であって、バネ受け溝嵌合状態の内口径が、リフレクター鍔部外径よりも小口径、且つリフレクター照射口よりも大口径としたバネリングを、当該リフレクター固定筒筒口からバネ受け溝に弾性的拡径状に嵌合し、該リフレクターを、該ＬＥＤパッケージおよびそのＬＥＤ素子との非接触状態を維持可能とするよう、当該リフレクター固定筒内所望位置に固定可能に組み込んでなるものとしたリフレクター装置と言うことができる。
【００１４】
（関連する発明３）
この発明のＬＥＤ光源モジュールは、基本的に次のような構成から成り立っている。
即ち、熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、ＬＥＤパッケージを中央適所に搭載したＣＯＢ固定ベースの外周がわ適所にリフレクター固定筒の基部を一体化し、同リフレクター固定筒の筒口近傍内周壁にバネ受け溝を凹設し、該バネ受け溝の基部がわにリフレクター受け段差溝部を連続して設け、該リフレクター固定筒内に、焦点開口から照射口に至る反射内壁を有し、同照射口外周縁に鍔部を一体化したリフレクターを収容し、該リフレクター鍔部を、当該リフレクター固定筒段差溝部に係合すると共に、該焦点開口を、当該ＬＥＤパッケージに非接触位置に規制した上、該リフレクター固定筒バネ受け溝にバネリングを装着したリフレクター装置を設け、該リフレクターを、該ＬＥＤパッケージおよびそのＬＥＤ素子に対して非接触状態、および、ＣＯＢシートカバーを介在して電気的絶縁状態を維持可能とするよう、ＬＥＤパッケージおよびリフレクターを組み込んでなるものとした構成からなるＬＥＤ光源モジュールである。
【００１５】
これを、より具体的な構成のものとして表すならば、熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、当該ＣＯＢ固定ベースの外周がわ適所に、該ＬＥＤパッケージを充分に上回る内径の円筒内壁形としたリフレクター固定筒の基部を一体化し、同リフレクター固定筒の円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、当該ＣＯＢ固定ベースに搭載したＬＥＤパッケージＬＥＤ素子近傍から該段差溝部に至る該リフレクター固定筒内に、ＬＥＤ素子より僅かに大きな焦点開口から照射口に至る反射内壁を有し、同照射口外周縁に、当該筒口およびバネ受け溝を通過可能、且つ当該段差溝部に係合可能な外径寸法・形状の鍔部を一体化したリフレクターを収容し、該リフレクター鍔部を、当該リフレクター固定筒段差溝部に係合すると共に、該焦点開口を、当該ＬＥＤパッケージおよびそのＬＥＤ素子に非接触位置に規制した上、同リフレクター固定筒の筒口内径まで縮径可能であって、バネ受け溝嵌合状態の内口径が、リフレクター鍔部外径よりも小口径、且つリフレクター照射口よりも大口径としたバネリングを、当該リフレクター固定筒筒口からバネ受け溝に弾性的拡径状に嵌合したリフレクター装置を設け、該リフレクターを、該ＬＥＤパッケージおよびそのＬＥＤ素子に対して非接触状態、および、ＣＯＢシートカバーを介在して電気的絶縁状態を維持可能とするようＬＥＤパッケージおよびリフレクターを組み込んでなるものとしたＬＥＤ光源モジュールとなる。
【００１６】
さらに、これらを換言するならば、熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、ＬＥＤパッケージを中央適所に搭載したＣＯＢ固定ベースの外周がわ適所にリフレクター固定筒の基部を一体化し、同リフレクター固定筒の筒口近傍内周壁にバネ受け溝を凹設し、該バネ受け溝の基部がわにリフレクター受け段差溝部を連続して設け、該リフレクター固定筒内に、焦点開口から照射口に至る反射内壁を有し、同照射口外周縁に鍔部を一体化したリフレクターを収容し、該リフレクター鍔部を、当該リフレクター固定筒段差溝部に係合すると共に、該焦点開口を、当該ＬＥＤパッケージに非接触位置に規制した上、該リフレクター固定筒バネ受け溝にバネリングを装着したリフレクター装置を設け、該リフレクターを、該ＬＥＤパッケージおよびそのＬＥＤ素子に対して非接触状態、および、ＣＯＢシートカバーを介在して電気的絶縁状態を維持可能とするよう、ＬＥＤパッケージおよびリフレクターを組み込んでなるものとした、上記したこの発明のＬＥＤ素子固定装置、あるいは同ＣＯＢシートカバー、または同リフレクター装置の何れか一つを利用したＬＥＤ光源モジュールと言うこともできる。
【００１７】
これを、より具体的なものとして示せば、熱伝導性素材からなるＣＯＢ固定ベースの中央適所にＬＥＤパッケージを搭載し、該ＬＥＤパッケージを上回る外郭寸法の絶縁フィルム製であって、該基板表面のＬＥＤ素子に対応する露出口を開口し、同基板周縁付近の少なくとも正・負電極との干渉を回避した外がわであって、該ＬＥＤ素子周囲の均衡する少なくとも２ヵ所に、当該ＣＯＢ固定ベースへの固着機構組み込み可能形状の固着部を設けたＣＯＢシートカバーを、当該搭載ＬＥＤパッケージ上より被着した上、該ＬＥＤ素子を露出口に露出させた状態に覆った基板諸共、各固着機構にて当該ＣＯＢ固定ベースに固着したＬＥＤ素子固定装置を有し、当該ＣＯＢ固定ベースの外周がわ適所に、該ＬＥＤパッケージを充分に上回る内径の円筒内壁形としたリフレクター固定筒の基部を一体化し、同リフレクター固定筒の円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、当該ＣＯＢ固定ベースに搭載したＬＥＤパッケージＬＥＤ素子近傍から該段差溝部に至る該リフレクター固定筒内に、ＬＥＤ素子より僅かに大きな焦点開口から照射口に至る反射内壁を有し、同照射口外周縁に、当該筒口およびバネ受け溝を通過可能、且つ当該段差溝部に係合可能な外径寸法・形状の鍔部を一体化したリフレクターを収容し、該リフレクター鍔部を、当該リフレクター固定筒段差溝部に係合すると共に、該焦点開口を、当該ＬＥＤパッケージおよびそのＬＥＤ素子に非接触位置に規制した上、同リフレクター固定筒の筒口内径まで縮径可能であって、バネ受け溝嵌合状態の内口径が、リフレクター鍔部外径よりも小口径、且つリフレクター照射口よりも大口径としたバネリングを、当該リフレクター固定筒筒口からバネ受け溝に弾性的拡径状に嵌合したリフレクター装置を設け、該リフレクターを、該ＬＥＤパッケージおよびそのＬＥＤ素子に対して非接触状態、および、ＣＯＢシートカバーを介在して電気的絶縁状態を維持可能とするよう、ＬＥＤパッケージおよびリフレクターを組み込んでなるものとしたこの発明のＬＥＤ素子固定装置、同ＣＯＢシートカバー、または同リフレクター装置の何れか一つを利用したＬＥＤ光源モジュールとなる。                                                                            
【発明の効果】
【００１８】
以上のとおり、この発明のＬＥＤ素子固定装置によれば、従前までのものとは違い、上記したとおりの固有の特徴ある構成から、絶縁フィルム製のＣＯＢシートカバーの採用により、従前までのＬＥＤホルダーに比較して、薄形化、軽量化、部品点数および組立工数の削減、生産コストの低減などを達成することができると共に、リフレクターをＬＥＤパッケージＬＥＤ素子に格段に接近させた位置に取付け可能なものとすることができ、しかも、ＣＯＢシートカバーの被着対象となるＬＥＤパッケージ基板の正・負電極外がわに対応する２ヵ所に設けた角部を、夫々下向きに折り曲げた包囲角を設けるようにしたものは、正・負電極、およびそれに接続したリード線芯線周囲の絶縁状態をより確実に保持可能なものとし、信頼性および安全性をより高めたものとすることができる上、ＣＯＢシートカバーとＬＥＤパッケージとをＣＯＢ固定ベースに対し、共締め固定するものは、部品点数の削減、構造の簡素化、軽量化、生産コストの削減を一段と進めたものとすることができるという秀でた特徴が得られるものである。
【００１９】
この発明のＣＯＢシートカバーにより、従来型ＬＥＤホルダーに比較して、遙かに軽薄化し、ＬＥＤパッケージとリフレクターとの隙間を格段に縮小し、該隙間からの照明損失を大幅低減し、一段と効率の良い照明を実現化することができ、しかも部品コストを削減し、透明絶縁フィルム製としたことにより、製造工程中や点検整備中など、被覆対象のＬＥＤパッケージ、および、その正・負電極に接続したリード線芯線や、コネクター類の接続状態などを、分解せず、透視しただけで容易に目視確認できるから、作業効率および作業信頼性を格段に高めたものとすることができ、さらに、固着機構による固定圧力や緊締力を分散、緩衝し、ＬＥＤパッケージを保護することができるという利点が得られる。
【００２０】
加えて、露出口の均衡する２ヵ所以上、複数箇所に、位置決め片部を内向き突出状に設けてなるＣＯＢシートカバーは、ＬＥＤパッケージに組み合わせる際に、各位置決め片部が、ＬＥＤ素子４１外周に正確に当接し、より高精度に位置決め可能となり、弾性変形性を利用して組立作業性を格段に向上すると共に、より高精度の組立てを実現化することができる。
【００２１】
この発明のリフレクター装置によれば、従前までであれば、リフレクター固定筒に対し、リフレクターを内蔵する場合に、リフレクター固定筒の筒口に、環状フランジなどを重ねるよう装着し、複数のネジを螺合して固定する必要があったが、こうした煩雑な作業を一切不要とすることができ、フレクター固定筒の筒口からリフレクターを装着し、バネリングを圧入するだけで、簡便、正確且つ確実に位置決め固定することができ、しかも装着後には、不用意に脱落することがなく、一段と耐久性、信頼性および経済性に秀れたものとすることができる。
【００２２】
この発明のＬＥＤ光源モジュールは、ＬＥＤ素子固定装置およびリフレクター装置を有するから、ＣＯＢ固定ベースに対してＬＥＤパッケージをＣＯＢシートカバーと共に組み込み、ＬＥＤ素子固定装置の部品点数を削減し、薄形化、軽量化して格段に効率的に生産することがでる上、リフレクターをＬＥＤパッケージＬＥＤ素子に、より接近させた位置に組み込むことができ、照明効率を大幅に高めたものとすることができ、しかも、リフレクターをリフレクター固定筒に対し、より効率的に組み込むことができるから、当該ＬＥＤ光源モジュールの生産効率を一段と高め、格段に経済的に維持管理可能なものとすることができるという大きな効果を奏することになる。                                                                    
【発明を実施するための最良の形態】
【００２３】
上記したとおりの構成からなるこの発明の実施に際し、その最良もしくは望ましい形態について説明を加えることにする。
ＣＯＢ固定ベースは、ＬＥＤパッケージおよびリフレクターを正確に位置決めし、取り付けする対象となり、この発明のＬＥＤ光源モジュールを対象となる灯具に組み込み可能とし、ＬＥＤパッケージが発する熱を外部に円滑に伝達し、効率的に放熱可能とする機能を担っており、下記のような熱伝導性素材からなり、中央適所にＬＥＤパッケージ搭載用の位置決め嵌合部を有する搭載座壁を設けたものとしなければならず、搭載座壁に搭載したＬＥＤパッケージを充分に上回る内径の円筒内壁形としたリフレクター固定筒の基部を一体化したものか、または、後述する実施例にも示すように、別体部品としたリフレクター固定筒の基部を、着脱可能に組み立てたものとすることが可能であり、より具体的には、軽量で耐久強度および熱伝達性に秀れたアルミニウム合金製のものとするのが良く、また、それ以外のステンレス合金製、チタン合金製、マグネシウム合金製、銅合金製など、金属、非金属に関わらず、置き換え可能な素材製のものとすることができる。
【００２４】
ＣＯＢ固定ベースの搭載座壁は、ＬＥＤパッケージの基板部分、および、ＣＯＢシートカバーを正確に位置決め固定可能とする機能を担い、中央適所にＬＥＤパッケージ搭載用の位置決め嵌合部を有するものとしなければならず、ＬＥＤパッケージ基板の底面支持位置を規制可能な平面、または、３点以上複数の点状、線状などの凸部からなるものとすべきであり、位置決め嵌合部は、ＬＥＤパッケージ基板の外周縁や、適宜形状部分に係合または嵌合して、ＬＥＤパッケージの搭載座壁に垂直な軸心回りの回転や、少なくとも一方向の滑りなどの位置ズレを阻止するよう規制可能とする機能を担い、電源用配線やリフレクター固定筒の固定部分などに干渉しない配置、形状のものとすべきであり、ＣＯＢ固定ベースに一体のものとすることができる外、ＣＯＢ固定ベースに別体部品を着脱可能、取付け位置調整可能に装着したものとすることができ、より具体的には、凸部、段差部、凹欠部およびそれらの組合せの中の何れか１つとするのが望ましく、後述する実施例に示す事例のように、ＣＯＢ固定ベースの搭載座壁に削り出し加工や鋳造加工、鍛造加工などによって一体化し、その外周縁がリフレクター固定筒の内周壁に嵌合し、同リフレクター固定筒の位置決めを可能としてなるものとすることができる。
【００２５】
ＣＯＢ固定ベース搭載座壁の固着機構は、ＬＥＤパッケージ基板のＬＥＤ素子および正・負電極に干渉しないよう回避した外周縁付近の適所に設けた取り付け形状部分、およびＣＯＢシートカバーの固着部を、ＣＯＢ固定ベースの搭載座壁適所に対して正確に位置決めおよび着脱可能に固定可能とする機能を担っており、ＬＥＤパッケージおよびＣＯＢシートカバーを充分な強度および固定精度をもって着脱可能に固定するものとしなければならず、例えば、クランプ金具、リベット、クリップ類、バックル金具類などの様々な留め具類を使用可能であるが、ＣＯＢ固定ベースの軽量化や薄型化を考慮すると、後述する実施例に示すように、搭載座壁の少なくとも２ヵ所に雌ネジ孔を穿設し、低頭ネジを螺合したものとするのが良い。
【００２６】
ＬＥＤパッケージは、ＣＯＢ固定ベース搭載座壁の位置決め嵌合部に位置決め嵌合可能であって、固着機構によって固定し、外部電力の供給を受けてＬＥＤ素子を発光する機能を担っていて、該位置決め嵌合部に位置決め嵌合可能な形状の基板上の中央適所に該ＬＥＤ素子を実装し、該基板の外周縁がわ適所に正・負電極を夫々設け、さらに、該基板の正・負電極とは異なる外周縁がわ適所に、固着機構によって固定可能な形状部分を設けたものとしなければならず、基板、ＬＥＤ素子および正・負電極の各形状・寸法は、照明の用途や目的などの各種条件に応じて適宜設定可能なものであり、ＬＥＤ素子は、砲弾型、表面実装型（ＳＭＤ：Ｓｕｒｆａｃｅ  Ｍｏｕｎｔ  Ｄｅｖｉｃｅ）などの外、例えば、後述する実施例に示すように、ＣＯＢ（Ｃｈｉｐ  Ｏｎ  Ｂｏａｒｄ）タイプのものとすることができ、さらに、今後開発されるものを含め、様々なタイプのものを採用することが可能である。
【００２７】
ＣＯＢシートカバーは、ＣＯＢ固定ベース搭載座壁の位置決め嵌合部に装着したＬＥＤパッケージのＬＥＤ素子発光範囲を除く上がわの殆ど、または、少なくともＬＥＤ素子発光範囲の周囲がわ、および正・負電極の上がわから膜状に包囲して、電気的に絶縁可能とする機能を分担し、ＬＥＤパッケージの基板周縁を上回る外郭寸法の絶縁フィルム製のものとしなければならず、ＬＥＤパッケージのＣＯＢ固定ベース搭載座壁への固着機構によって共締め可能なものとするのが良く、無色透明、有色透明、半透明、有色半透明、有色不透明などの各種フィルム製とし、さらにまた、反射膜層を設け、鏡面状または半鏡面状にしたフィルム製、例えば厚さ１ｍｍ以下または０．５ｍｍ以下の薄い合成樹脂板製のものなどとすることが可能であって、三角形、四角形、台形、平行四辺形、五角形、六角形、星形、それ以外の多角形、円形、長円形、その他、様々な異形などの外郭形状のものとすることができ、後述する実施例にも示すように、ＬＥＤパッケージ基板表面のＬＥＤ素子に対応する中央に露出口を開口し、同基板周縁付近の少なくとも正・負電極外がわに対応する２ヵ所に設けた角部を、夫々下向きに折り曲げた包囲角を設け、同基板周縁付近の各包囲角間であって該ＬＥＤ素子露出口の周囲に均衡する少なくとも２ヵ所に、固着機構を組み込み可能な形状とした固着部を設け、当該ＬＥＤパッケージ上より被着した上、該ＬＥＤ素子を露出口に露出させた状態に覆った基板諸共、各固着機構にてＣＯＢ固定ベースなどの対象物に固着し、各包囲角が基板周縁付近の少なくとも正・負電極に接続したリード線芯線を絶縁状に包囲可能なものとすることができる。
【００２８】
ＣＯＢシートカバーの包囲角は、ＬＥＤパッケージの正・負電極や、正・負電極に接続したリード線芯線、または、コネクターなどの凸状となる各部を過剰に圧迫しないよう回避し、且つ電気的絶縁状態に包囲可能とする機能を担い、ＬＥＤパッケージとリフレクター固定筒やリフレクターとの間の電気的絶縁状態を維持可能な形状とし、且つ該ＣＯＢシートカバーが、正・負電極などの凸状となる各部に乗り上げ、外周縁が立ち上がり、リフレクター固定筒やリフレクターなどに過剰に干渉してしまうのを阻止可能とするものとしなければならず、装着状態にてリフレクター焦点開口と非接触か、または、少なくとも正・負電極やリード線芯線などを圧潰しないよう、緩接触の状態に被覆、絶縁可能なものとするのが良い。
【００２９】
ＣＯＢシートカバー露出口の位置決め片部は、ＬＥＤパッケージＬＥＤ素子にＣＯＢシートカバー露出口を精度良く効率的に組み合わせ可能とする機能を担い、露出口の均衡する２ヵ所以上となる複数箇所に、ＬＥＤ素子４１外周に当接・位置決め可能とするように内向き突出状に設けたものとしなければならず、各位置決め片部の内周縁は、ＬＥＤ素子４１外周縁に当接する直径に設定するのが望ましく、対峙する各位置決め片部間にＬＥＤ素子４１外周縁を弾性的に挟み込むように組み合わせ可能なものとするのが望ましく、爪状、鋸刃状、波板状、棒状、針状、舌片状など、様々な形状とすることが可能であり、後述する実施例でも採用しているとおり、各包囲角の内がわに対応するよう、内向き突出状に設けた円弧片状のものとすることができる。
【００３０】
リフレクター固定筒は、ＣＯＢ固定ベースの適所にリフレクターを取り付け可能とする機能を担っており、ＬＥＤパッケージを充分に上回る内径の円筒内壁形とし、該ＬＥＤパッケージを中央適所に搭載したＣＯＢ固定ベースの外周がわ適所に対し、筒基部を一体化したものとしなければならず、前述したように、ＣＯＢ固定ベースに対して別体部品としたリフレクター固定筒を、着脱可能に組立て一体化してなるものとすることが可能であり、後述する実施例にも示しているように、その円筒内径より僅かに大径化した筒口近傍内周壁に、所定直径環状のバネ受け溝を凹設し、該バネ受け溝の筒口とは反対がわの基部がわ寄りとなる溝壁に、該筒口内径以下およびバネ受け溝より小径とした環状のリフレクター受け段差溝部を連続して設け、リフレクター照射口の鍔部およびバネリングを簡便に装着可能としたものとするのが良く、ＣＯＢ固定ベースと同様の素材製のものとすることができ、さらに、ＬＥＤパッケージの装着作業性を考慮すると、ＣＯＢ固定ベースとは別体の部品とし、ＣＯＢ固定ベースにＬＥＤパッケージを搭載した後に、当該リフレクター固定筒を組み込むようにしたものとするのが望ましいと言える。
【００３１】
リフレクターは、ＬＥＤ素子が発する光を、ＬＥＤ素子発光部分とは反対がわとなる所望の方向に向け、効率的に反射し、照明効率を高める機能を担い、リフレクター固定筒内の適所に位置決めし、その焦点開口を、当該ＬＥＤパッケージおよびそのＬＥＤ素子に非接触位置に規制するよう寸法設定および固定可能なものとしなければならず、後述する実施例に示すように、リフレクター固定筒内に装着した場合に、僅かな隙間を隔てた位置に配するよう、ＬＥＤ素子より僅かに大きな焦点開口を設け、該焦点開口から照射口に至る回転放物面状の反射内壁を有し、同照射口外周縁に、当該リフレクター固定筒の筒口およびバネ受け溝を通過可能、且つ当該段差溝部に係合可能な外径寸法・形状の鍔部を一体化したものとするのが良く、さらに、反射内壁の一部または全部に、リフレクター角度面加工や、反射光を拡散可能なディンプル加工などを施したものとすることができる。
【００３２】
バネリングは、リフレクター固定筒内の筒口を通過可能な直径に弾性的に縮径可能、バネ受け溝に嵌合可能な直径に弾性的に拡径可能であって、段差溝部に係合させたリフレクター鍔部を、バネ受け溝に嵌合して脱抜不能に固定可能とする機能を担い、リフレクター固定筒の筒口内径まで縮径可能であって、バネ受け溝嵌合状態の内口径が、リフレクター鍔部外径よりも小口径、且つリフレクター照射口よりも大口径に設定しなければならず、バネ線、バネ波線、細長いコイルバネ、ゴム管、ゴム環、または、その他の弾性線素材などを、バネ受け溝に嵌合可能な螺旋形、Ｖ字形、Ｕ字形、Ｄ字形、Ｏ字形などの外郭形状に成形したものや、後述する実施例に示しているように、バネ線をＣ字形に成形したものとすることができる。
以下では、図面に示すこの発明を代表する実施例と共に、その構造について詳述することとする。                                                                                                          
【図面の簡単な説明】
【００３３】
図面は、この発明におけるＬＥＤ素子固定装置、それ用のＣＯＢシートカバー、リフレクター装置、および、ＬＥＤ光源モジュールの技術的思想を具現化した代表的な幾つかの実施例を示すものである。
【図１】分解・組立各状態のＬＥＤ光源モジュールを示す側面図および平面図である。
【図２】分解状態のＬＥＤ素子固定装置を示す平面図である。
【図３】ＣＯＢシートカバー示す平面図である。
【図４】組立て途中のＬＥＤ素子固定装置を示す平面図である。
【図５】ＬＥＤ素子固定装置を示す平面図である。
【図６】ＬＥＤ光源モジュールを一部断面化して示す側面図である。
【図７】リフレクター装置の要部を示す断面図である。
【図８】従来型ＬＥＤ光源モジュールを一部断面化して示す側面図である。
【実施例１】
【００３４】
図１ないし図７に示す事例は、ＣＯＢ固定ベース３に搭載したＬＥＤパッケージ４にＣＯＢシートカバー５を被着した上、基板４０諸共ＣＯＢ固定ベース３に固着したＬＥＤ素子固定装置２を有し、当該ＣＯＢ固定ベース３適所にリフレクター固定筒７の基部７１を一体化し、同リフレクター固定筒７の筒口７０近傍内周壁７２に、バネ受け溝７３、および同バネ受け溝７３より小径とした環状のリフレクター受け段差溝部７４を連続して設け、当該搭載ＬＥＤパッケージ４近傍から該段差溝部７４に至る該リフレクター固定筒７内に、焦点開口８１から照射口８２に至る回転放物面状の反射内壁８０を有し、同照射口８２外周縁に所定外径寸法・形状の鍔部８３を一体化したリフレクター８を収容し、該リフレクター８鍔部８３を、当該リフレクター固定筒７段差溝部７４に係合すると共に、該焦点開口８１を、当該ＬＥＤパッケージ４非接触位置に規制した上、バネリング９を当該リフレクター固定筒７バネ受け溝７３に弾性的拡径状に嵌合したリフレクター装置６を設けてなるものとした、この発明のＬＥＤ光源モジュールにおける代表的な一実施例を示すものである。
【００３５】
それら各図からも明確に把握できるとおり、この発明のＬＥＤ光源モジュール１は、ＬＥＤ素子固定装置２およびリフレクター装置６を有しており、該ＬＥＤ素子固定装置２は、そのＣＯＢ固定ベース３が、アルミニウム合金製平板からなり、その表面中央に略矩形板状のＬＥＤパッケージ４を搭載する平滑面状の搭載座壁３０を設け、該搭載座壁３０に搭載するＬＥＤパッケージ４の平行する２辺を挟み込むよう対峙した略垂直平行対峙平面状の壁面を有し、ＬＥＤパッケージ４基板４０の厚みと略同じ高さに設定した２つの位置決め嵌合部３１，３１を設け、同位置決め嵌合部３１，３１の外周縁が、リフレクター固定筒７基端７１内周壁７２に嵌合位置決め可能とするよう円弧状凸部に形成したものとしてある。
【００３６】
図１ないし図５に示すように、当該ＣＯＢ固定ベース３搭載座壁３０に位置決め搭載したＬＥＤパッケージ４は、その上方からＣＯＢシートカバー５を被着したものとし、該ＣＯＢシートカバー５は、ＬＥＤパッケージ４の基板４０周縁を上回る略矩形状・外郭寸法の透明絶縁フィルム製であって、該基板４０表面中央に配したＬＥＤ素子４１に対応する中央に露出口５０を開口し、同基板４０周縁付近の正・負電極４２、４２外がわに対応する（対角線上の）２ヵ所に設けた角部５１，５１を、図５中の破線に示すよう、各角部５１，５１の三角形底辺とする部分にミシン孔線加工を施し、各ミシン孔線を境に、夫々下向きに折り曲げ（山折り）、各包囲角５１，５１とし、当該ＬＥＤ素子固定装置２は、同基板４０周縁付近の各包囲角５１，５１間であって該ＬＥＤ素子４１露出口５０の周囲に均衡する（各包囲角５１，５１間とは異なる別の対角線上の）２ヵ所となる角部付近に、固着機構３２，３２を組み込み可能な孔形状または切欠き形状などとした固着部５２，５２を設け、当該ＬＥＤパッケージ４上より被着した上、該ＬＥＤ素子４１を露出口５０に露出させた状態に覆った基板４０諸共、各固着機構３２，３２（低頭ネジ３３，３３）にて、当該ＣＯＢ固定ベース３が搭載座壁３０に穿設した雌ネジ孔３４，３４に螺着によって固着し、各包囲角５１，５１が基板４０周縁付近の正・負電極４２，４２に接続したリード線芯線４３，４３を絶縁状に包囲したものとしてある。
【００３７】
ＣＯＢシートカバー５露出口５０は、その開口縁の全部をＬＥＤ素子４１の外周に一致させて当接するよう、形状・寸法を設定することが可能であるが、その開口縁の全部をＬＥＤ素子４１の外周縁より僅かに大径化したものとすることが可能である外、ＬＥＤ素子４１外周の均衡する２ヵ所以上、複数箇所のみ、開口縁を一致・当接するよう、形状・寸法設定することが可能であり、例えば、図３に示すように、各包囲角５１，５１の内がわに対応する開口縁に、ＬＥＤ素子４１外周に当接・位置決め可能とする円弧状位置決め片部５３，５３を内向き突出状に設けたものとすることができる。
【００３８】
図１、図６および図７に示してあるように、当該リフレクター装置６は、そのリフレクター固定筒７をアルミニウム合金製の略円筒形とし、その基端に外向きフランジ部７５を有するものとし、該ＬＥＤパッケージ４を充分に上回る内径Ｄ１の円筒形内周壁７２を有し、基部７１内周壁７２を、前述の如く、位置決め嵌合部３１，３１の外周縁に嵌合可能な寸法・形状に設定したものとし、同リフレクター固定筒７の基部７１を、ＬＥＤパッケージ４を中央適所に搭載したＣＯＢ固定ベース３の外周がわ適所に、位置決め嵌合部３１，３１の外周縁に嵌合するよう位置決めして立設状に配し、該フランジ部７５に点在状に穿設した複数個の貫通孔夫々に鍋ネジ７６，７６，……を装着し、当該ＣＯＢ固定ベース３対応ヵ所の各雌ネジ孔に螺合し、一体化したものとした。
【００３９】
同図１，図６および図７に示すように、当該リフレクター固定筒７の円筒内径Ｄ１より僅かに大径化した内径Ｄ２筒口７０近傍内周壁に、所定直径Ｄ３、所定幅Ｗ１の環状バネ受け溝７３を凹設し、該バネ受け溝７３の筒口７０とは反対がわの基部７１がわ寄りとなる溝壁に、該筒口７０内径Ｄ２以下およびバネ受け溝７３（直径Ｄ３）よりも小径とした、直径Ｄ４、所定幅Ｗ２の環状リフレクター受け段差溝部７４を連続して設け、当該ＣＯＢ固定ベース３に搭載したＬＥＤパッケージ４ＬＥＤ素子４１外周縁近接位置から該段差溝部７４に至る該リフレクター固定筒７内に、ＬＥＤ素子４１より僅かに大きな焦点開口８１から照射口８２に至る回転放物面状であって、表面にディンプル加工を施した高反射率反射面に仕上げた、金属製反射内壁８０を有し、同照射口８２外周縁に、当該筒口７０およびバネ受け溝７３より小径として通過可能、且つ当該内周壁７２直径Ｄ１より大径とし、段差溝部７４に係合可能な外径Ｄ４、および厚みＴ１の寸法・形状とした鍔部８３を一体化したリフレクター８を収容し、該リフレクター８鍔部８３を、当該リフレクター固定筒７段差溝部７４に係合すると共に、該焦点開口８１を、当該ＬＥＤパッケージ４およびそのＬＥＤ素子４１に非接触位置に規制した上、同リフレクター固定筒７の筒口７０内径Ｄ２まで縮径可能であって、バネ受け溝７３嵌合状態の内口径Ｄ５が、リフレクター８鍔部８３外径Ｄ４よりも小口径、且つリフレクター８照射口８２の内径Ｄ６よりも大口径Ｄ５、厚みＴ２としたバネリング９を、当該リフレクター固定筒７筒口７０からバネ受け溝７３に弾性的拡径状に嵌合し、該リフレクター８を、該ＬＥＤパッケージ４およびそのＬＥＤ素子４１との非接触状態を維持するよう、当該リフレクター固定筒７内の所望位置に組み込んでなるものとしてある。
【００４０】
（実施例１の作用・効果）
以上のとおりの新規な構成からなるこの発明のＬＥＤ光源モジュール１は、図１ないし図７に示してあるとおり、ＬＥＤ素子固定装置２を有していて、その透明絶縁フィルム製ＣＯＢシートカバー５、およびその各包囲角５１，５１が、当該ＬＥＤパッケージ４正・負電極４２、４２の各上がわおよび各外がわを包囲するよう被覆することから、当該ＬＥＤパッケージ４およびリフレクター８両者間の絶縁性を確実に確保することができ、しかも図２ないし図５に示すように、各包囲角５１，５１の各下向き折り曲げ部分（山折り部分）が、ＬＥＤ素子発光面４１よりも凸状となる正・負電極４２，４２およびそれらに接続した電源用リード線芯線４３，４３の上を跨ぐよう被覆し、固着機構３２低頭ネジ３３，３３の固定力によってＬＥＤ素子４１外周縁との間に隙間を生じず、露出口５０を密着するよう押圧する弾性力を生じるから、該ＬＥＤ素子固定装置２を一層薄形化することができ、さらに、透明絶縁フィルム製ＣＯＢシートカバー５は、分解せずに異物の侵入や、部品の破損などを目視確認することができ、メンテナンス工数を削減し、より経済的に維持管理することができるものとなる。
【００４１】
また、ＣＯＢシートカバー５露出口５０に、各包囲角５１，５１に対応する円弧状位置決め片部５３，５３を設けたものは、ＣＯＢシートカバー５をＬＥＤパッケージ４に対してより高精度に位置決めすることができ、固着機構３２（低頭ネジ３３，３３）による位置決め、固定をより正確且つ確実なものとし、より高い品質および照明性能を達成可能なものとすることができる。
【００４２】
加えて、ＣＯＢ固定ベース３に対し、別体部品のリフレクター固定筒７を組み込むものとしたから、未だリフレクター固定筒７を組み込んでいない状態のＣＯＢ固定ベース３に、ＬＥＤパッケージ４およびＣＯＢシートカバー５を搭載することにより、組立て作業の障害物を無くし、格段に正確且つ効率的な組立作業を実現化することができる。
【００４３】
そして、この発明のＬＥＤ光源モジュール１は、リフレクター装置６を有するから、ＣＯＢ固定ベース３搭載座壁３０の位置決め嵌合部３１，３１外周縁に、リフレクター固定筒７基部７１の内周壁７２を嵌合させて位置決め固定してしまえば、その後は、該リフレクター固定筒７筒口７０より、リフレクター８を収容し、バネリング９を圧入するだけで、ワンタッチで組み立てを完了することができ、より生産効率が良く、耐久性に秀れ、経済性および安全性を格段に高めたものとすることができる。
【００４４】
（結  び）
叙述の如く、この発明のＬＥＤ素子固定装置、それ用のＣＯＢシートカバー、リフレクター装置、および、ＬＥＤ光源モジュールは、その新規な構成によって所期の目的を遍く達成可能とするものであり、しかも製造も容易で、従前からのＬＥＤ光源モジュール技術に比較して大幅に、耐久強度を高め、軽薄短小化し、且つ低廉化して遥かに経済的なものとすることができる上、組立て作業およびメンテナンス作業の効率を格段に高め、安全性と信頼性とを一段と改善したものとすることができるから、家電業界および照明機器業界はもとより、各種道路やトンネル、洞道などの維持・管理を担う施設管理業界や、建設業界および建築施設のメンテナンス業界などにおいても高く評価され、広範に渡って利用、普及していくものになると予想される。                                                                              
【符号の説明】
【００４５】
１      ＬＥＤ光源モジュール
２      ＬＥＤ素子固定装置
３      ＣＯＢ固定ベース
３０    同  搭載座壁
３１    同  位置決め嵌合部
３２    同  固着機構
３３    同  低頭ネジ
３４    同  雌ネジ孔
４      ＬＥＤパッケージ
４０    同  基板
４１    同  ＬＥＤ素子
４２    同  正・負電極
４３    同  電源用リード線（芯線）
５      ＣＯＢシートカバー
５０    同  露出口
５１    同  包囲角
５２    同  固着部
５３    同  位置決め片部
６      リフレクター装置
７      リフレクター固定筒
７０    同  筒口
７１    同  基部
７２    同  内周壁
７３    同  バネ受け溝
７４    同  段差溝部
７５    同  フランジ部
７６    同  鍋ネジ
８      リフレクター
８０    同  反射内壁
８１    同  焦点開口
８２    同  照射口
８３    同  鍔部
９      バネリング
Ｄ１      内周壁７２直径
Ｄ２      筒口７０内径
Ｄ３      バネ受け溝７３直径
Ｄ４      段差溝部７４直径（鍔部８３外径）
Ｄ５      バネリング９嵌合状態の内径
Ｗ１      バネ受け溝７３溝幅
Ｗ２      段差溝部７４溝幅
Ｔ１      鍔部８３厚み
Ｔ２      バネリング９の厚み
Ｍ      従来型ＬＥＤ光源モジュール
Ｈ      ＬＥＤホルダー
Ｆ      環状フランジ蓋
Ｓ      ネジ
Ｄ      隙間                                                                                                
【図１】
2015225789.tif 000003
【図２】
2015225789.tif 000004
【図３】
2015225789.tif 000005
【図４】
2015225789.tif 000006
【図５】
2015225789.tif 000007
【図６】
2015225789.tif 000008
【図７】
2015225789.tif 000009
【図８】
2015225789.tif 000010